(57)【特許請求の範囲】
【請求項１】
一又は複数の振動舌片（２Ｃ）を有する音発生装置（１）の振動周波数範囲を調整する方法であって、
前記装置は、櫛体（２Ａ）と、この櫛体（２Ａ）から延びる少なくとも１つの振動舌片とによって形成される集合体を有し、
前記櫛体は、少なくとも１つの穴（２Ｂ）を有し、支持顎体（４）と、及び前記櫛体の穴を貫通する締め付け要素（５）とによって、前記櫛体が支持体（３）に固定され、
当該方法は、前記支持顎体（４）と局所的対向支持部（７）の間の一又は複数の舌片の局所化されたクランプによって、振動する一又は複数の舌片の自由長を小さくすることによって、周波数範囲を調整し、
前記一又は複数の舌片が動くことが可能になるように、前記櫛体の穴（２Ｂ）が前記一又は複数の舌片の長さ方向に伸長されている
ことを特徴とする方法。
【請求項２】
請求項１に記載の調整方法を実施するための手段であって、
一又は複数の振動舌片を有する音発生装置を備え、
この音発生装置は、櫛体（２Ａ）と、櫛体（２Ａ）から延びる少なくとも１つの振動舌片とによって形成され、
前記櫛体は、少なくとも１つの穴（２Ｂ）を有し、これによって、支持顎体（４）と、及び支持顎体（４）と前記櫛体の穴を貫通する締め付け要素（５）によって、前記櫛体が支持体（３）に固定され、
当該手段は、前記支持顎体（４）と局所的対向支持部（７）の間の一又は複数の舌片の局所化されたクランプによって、振動する一又は複数の舌片の自由長を小さくする手段を有し、
前記支持顎体（４）及び前記支持体（３）は、一又は複数の舌片の局所的クランプ領域（Ｐ）を形成するように構成し、
前記局所的クランプ領域（Ｐ）に対して前記一又は複数の舌片が動くことが可能になるように、前記櫛体の穴（２Ｂ）が前記一又は複数の舌片の長さ方向に伸長される
ことを特徴とする手段。
【請求項３】
請求項２に記載の一又は複数の振動舌片を有する音発生装置の振動周波数範囲を調整する手段であって、
前記支持体（３）は、前縁に第１のリブ（７Ａ）を有し、
前記顎体（４）は、前縁に第２のリブ（４Ａ）を有し、
この第２のリブは、前記支持体の前記第１のリブ（７Ａ）に対向するように位置して、前記第１のリブとクランプを形成する
ことを特徴とする手段。
【請求項４】
請求項３に記載の一又は複数の振動舌片を有する音発生装置の振動周波数範囲を調整する手段であって、
前記支持体（３）の後縁及び前記顎体（４）の後縁も、お互い対向するように位置する他のリブ（７Ｂ、４Ｂ）を有する
ことを特徴とする手段。
【請求項５】
請求項２に記載の一又は複数の振動舌片を有する音発生装置の振動周波数範囲を調整する手段であって、
前記対向支持部は、前記支持体とは独立な部分（８）によって形成され、第２の対向支持顎体（８）を形成する
ことを特徴とする手段。
【請求項６】
請求項５に記載の一又は複数の振動舌片を有する音発生装置の振動周波数範囲を調整する手段であって、
前記２つの顎体（４、８）は、交差するハサミの形態で交差する形状を有する
ことを特徴とする手段。
【請求項７】
請求項６に記載の一又は複数の振動舌片を有する音発生装置の振動周波数範囲を調整する手段であって、
前記第１及び第２の顎体（４、８）は、２つの板（１０Ａ、１０Ｂ、１１Ａ、１１Ｂ）によって形成され、
これらの板は、２つの実質的に平行な平面に位置し、かつ、交差形状メンバー（１２Ａ、１２Ｂ）によって接合され、
これらの板の一方は、第１のループ（１２Ａ）によって形成され、
これらの板の他方は、前記第１のループ（１２Ａ）に挿入された傾斜した第２のループ（１２Ｂ）によって形成され、
前記舌片の前方クランプ領域（Ｐ）及び後方クランプ領域（Ｒ）を形成するように、前記２つの板は、お互い対向するリブをそれぞれ有する
ことを特徴とする手段。
【請求項８】
請求項５に記載の一又は複数の振動舌片を有する音発生装置の振動周波数範囲を調整する手段であって、
前記２つの顎体（４、８）は、これらの顎体の遠端で協力してはたらき、一種のピボットを当該遠端にて形成し、前記ピボットの後方では、各顎体がリブ（４Ａ、８Ａ）を有し、これによってクランプ領域が形成される
ことを特徴とする手段。
【請求項９】
請求項８に記載の一又は複数の振動舌片を有する音発生装置の振動周波数範囲を調整する手段であって、
前方を向いての当該手段の２つの側面において、前記第２の対向支持顎体（８）は、当該第２の顎体の後方に向かって開いているフック（２０）を有し、
このフックには、前記第１の支持顎体（４）の前縁の２つの突起（２１）が挿入され、これによってピボットを形成する
ことを特徴とする手段。
【請求項１０】
請求項５に記載の一又は複数の振動舌片を有する音発生装置の振動周波数範囲を調整する手段であって、
前記対向支持部は、固定手段によって前記顎体（４）に固定された交差片（８）によって形成され、
前記固定手段は、前記交差片を前記顎体（４）の方向に動かして前記一又は複数の舌片をクランプすることができる
ことを特徴とする手段。
【発明の詳細な説明】
【技術分野】
【０００１】
本発明は、一又は複数の振動舌片（tongue）ないし振動片（strip）を有する音発生装置の振動周波数範囲を調整する方法に関する。
【背景技術】
【０００２】
アントワーヌ・ファーブル（Antoine Fabre）によって１７９６年に作られた最初の音楽ボックス（musical box；オルゴール）は、複数のピンが設けられたシリンダーと、音楽ピンバレルとして定義される舌片の群によって形成されていた。シリンダーが回転すると、シリンダー上のピンがピンバレルの鋼鉄製の舌片をよく定められた順序で持ち上げ、その後に放すように構成しており、これらは完璧なまでに調音されていて音を再生するようになっている。これらの舌片が落ちるごとに舌片が振動する。このように、再生されるべきメロディーから舌片が音を１つずつ間接的に発生させる。
【０００３】
前述の音発生装置を有するこの種の音楽ボックスは、宝石箱やおもちゃ、また、腕時計に内臓させることができる。
【０００４】
これに関連して特許文献１を引用する。これは、支持片及びクランプの間にクランプされた櫛体（comb）で保持される舌片を開示している。
【０００５】
舌片によって作られる音響周波数を調節するために、舌片に負荷メンバーを与えることができる。この負荷メンバーは動くことができ、舌片上の負荷メンバーの位置に従って周波数が変わり、この結果、発生する音に変動が生じる。
【０００６】
特許文献２は、共通の櫛体によって接続された舌片の群を開示している。この櫛体はベース上で固定されており、このベースでは、クランプと櫛体を貫通するネジを用いてクランプにより櫛体が支持され保持される。舌片を調整するために、負荷メンバーを与えるのではなく、舌片が機械加工されて材料が除去される。
【先行技術文献】
【特許文献】
【０００７】
【特許文献１】米国特許第２７５５６９７号公報
【特許文献２】米国特許第３０１３４６０号公報
【０００８】
異なる長さを有するこの舌片の群を支持体やベースに固定するためには、通常、クランプが用いられる。このクランプは、櫛体に適用され、ネジによって特定位置に保持される。これらのネジの軸は、クランプや櫛体に設けられた穴を貫通し、それぞれ支持体に設けられたネジ切りされたシンク（threaded sink）に合わせられる。このクランプは櫛体を押すだけであり、開けられた穴は、ネジの軸の直径に対して動作上の遊びを設けるようにして作られる。
【０００９】
原則的には、舌片の長さはそれぞれ所定の周波数の音を発生するように計算され、調整については特に作業が必要ではない。しかし、上述のように、特許文献１記載のように舌片に負荷メンバーを与えることによって、あるいは特許文献２記載のように材料を除去することによって、舌片の振動周波数をそれぞれ調整することができる。このようにして精密な調整が行われる。
【発明の概要】
【発明が解決しようとする課題】
【００１０】
特許文献１のスライドする負荷メンバーを与える手法は、腕時計に内蔵させる装置の場合には実装するのが難しい。これは小型化が必要とされるからである。また、信頼性に課題が発生する。なぜなら、負荷メンバーを固定するネジが振動によって緩みやすいので負荷メンバーを舌片に固定することが難しいからである。
【００１１】
特許文献２に記載された手法はより信頼性が高いが、ピンバレルに対して付加的な機械加工をする必要がある。
【００１２】
これらの精密な調整の範囲を超えて、別の周波数範囲で動作することが望まれる場合に、異なる舌片長さを有する別のピンバレルを作る必要性が発生する。毎回自分が望む舌片長さを有するピンバレルを作ることが必要になり、これは問題である。
【課題を解決するための手段】
【００１３】
本発明は、上述した現状の課題を解決する手段を提供することを提案する。
【００１４】
以上を鑑みて、本発明は、一又は複数の振動舌片を有する音発生装置の振動周波数範囲を調整する方法に関し、前記装置は、櫛体と、この櫛体から延びる少なくとも１つの振動舌片とによって形成される集合体を有し、前記櫛体は、少なくとも１つの穴を有し、支持顎体と、及び前記櫛体の穴を貫通する締め付け要素とによって、前記櫛体が支持体に固定され、当該方法は、前記支持顎体と局所的対向支持部の間の一又は複数の舌片の局所化されたクランプによって、振動する一又は複数の舌片の自由長を小さくすることによって、周波数範囲を調整する。
【００１５】
また、本発明は、調整方法を実装するための手段にも関し、個の手段は、一又は複数の振動舌片を有する音発生装置を備え、この音発生装置は、櫛体と、櫛体から延びる少なくとも１つの振動舌片とによって形成され、前記舌片は、少なくとも１つの穴を有し、これによって、支持顎体と、及び支持顎体と顎体の穴を貫通する締め付け要素とによって、前記舌片が支持体に固定され、当該手段は、前記支持顎体と局所的対向支持部の間の一又は複数の舌片の局所化されたクランプによって、振動する一又は複数の舌片の自由長を小さくする手段を有する。
【００１６】
音楽ピンバレルの周波数範囲を調整する手段が設けられた音発生装置の利点の１つは、振動する一又は複数の舌片の一般的な長さをピンバレルを変更せずに容易に調整できるということに基づく。これによって、ピンバレルの櫛体が当該装置の支持体に固定されている場合に、一又は複数の舌片の端部を局所的にクランプすることにより、支持体に固定された少なくとも１つの顎体を介して、及び対向支持部を介して、周波数範囲を適合させることが可能になる。このように、腕時計等への取り付けが適合したピンバレルの舌片によって音が生成されることを可能にしながら、標準的なピンバレルを容易に作ることができる。
【００１７】
また、好都合なことに、音発生装置のこれらの調整手段は、櫛体の上部及び下部に、そして、舌片の端部に設けられた支持体によってピンバレルの固定を改善するように構成することができる。このようにして、腕時計の音を放射する部品への音響的な伝達を改善することができる。
【００１８】
本発明は、図面を参照しながら以下に例（これに限定されない）を用いて説明することによって理解されるであろう。
【図面の簡単な説明】
【００１９】
【図１】本発明に従って音楽ピンバレルの周波数範囲を調整する手段が設けられた音発生装置の第１の実施形態の斜視図である。
【図２】図１の音発生装置の垂直方向の断面図である。
【図３】本発明に従って音楽ピンバレルの周波数範囲を調整する手段が設けられた音発生装置の第２の実施形態の斜視図である。
【図４】図３の音発生装置の垂直方向の断面図である。
【図５】本発明に従って音楽ピンバレルの周波数範囲を調整する手段が設けられた音発生装置の第３の実施形態の斜視図である。
【図６】図５の音発生装置の垂直方向の断面図である。
【図７】本発明に従って音楽ピンバレルの周波数範囲を調整する手段が設けられた音発生装置の第４の実施形態の斜視図である。
【図８】図７の音発生装置の垂直方向の断面図である。
【発明を実施するための形態】
【００２０】
上記の各図を参照する。装置１は、音楽を発生させるための振動舌片を有するように示されており、異なる長さの振動舌片２Ｃの群２を有し、一定範囲の音を発生させる。振動舌片２Ｃはすべてその一端が櫛体２Ａにつながれており、櫛状構造を形成する。この舌片の群は、ピンバレルとも呼ばれ、その舌片と櫛体は、単一の材料片で作られる。しかし、単一の舌片の一端が固定用櫛体に接続されるものを作ることも想定することができる。
【００２１】
手段（図示せず）によって、プログラムされた手法で、メロディーを発生させるために舌片の自由端を動かしたり放したりすることが可能になる。この手段は、バネ機構によって回転駆動されるドラム又はディスクとすることができる。このドラム又はディスクは、ドラムの円筒状の表面又はディスクの片面の上で突出する突起（lug）が設けられる。この突起が舌片の端を通る際、この舌片のカム形状の端が動き、ないし持ち上げられ、そして急激に落ちる。このようにして、舌片にはそれぞれ振動が発生する。
【００２２】
舌片２Ｃの片方の端に接続する櫛体２Ａには、支持顎体（support jaw）４によって当該櫛体を支持体３又はベース上で支持するために穴２Ｂが設けられている。好ましくは、櫛体２Ａは、これを支持体３に固定するための穴２Ｂを少なくとも２つ有する。この顎体４は、櫛体上に支持されており、少なくとも１つの締め付け要素５によって固定され、この締め付け要素５は、顎体４と、櫛体２Ａの穴２Ｂのうちの１つとを縦断する。好ましくは、少なくとも２つの締め付け要素５のそれぞれが櫛体の２つの穴２Ｂを通り抜け、この締め付け要素５は、櫛体を支持体に固定するように構成しており、櫛体は、顎体４の一部分と支持体３の表面の間でクランプされる。締め付け要素５は、ネジであることが好ましく、ネジの先頭が顎体４の上面に対して押された状態で、締め付け要素５の軸が顎体における対応する開口部を通り抜け、その後、支持体３の雌ネジにねじ込まれる。各締め付けネジが支持体の雌ネジにねじ込まれるほど、ピンバレルの舌片２Ｃの端部分に加わるクランプ力が大きくなり、これによって、良好な保持が確実になる。
【００２３】
支持顎体４は、クランプを形成する剛性が高い厚い板によって形成されており、これは、櫛体と、この櫛体に接続された舌片の端部とをカバーする。櫛体と舌片の端部とを挟むことで顎体４を支持体に固定することによって、各舌片の有効長を合わせることができる。有効長は、ピンバレルの各舌片の振動パラメーターのうちの１つである。
【００２４】
これを有利な手法で実現するために、図２に示すように、一又は複数の振動舌片２Ｃの自由長を減らすことによって周波数範囲を調整することができ、これは、支持顎体４と局所的な対向支持部７の間で当該舌片を局所的にクランプすることによって行うことができる。支持顎体４と、支持体３の対向支持部７との間の舌片２Ｃの端部をクランプすることは、櫛体によるピンバレルの固定を増強することとして考えることができることがある。図２の第１のクランプポイントと、櫛体からさらに離れて位置する第２のクランプポイントとの間のクランプによって、当該一又は複数の舌片は振動することができなくなる。このようにして、舌片のこれらのクランプされた部分は、ピンバレルの櫛体のようにふるまう。
【００２５】
一又は複数の舌片の新しい有効な領域は、図２の第１のクランプポイントでのクランプと、各舌片の自由端との間に位置する。これに対して、現状の先端技術に従うと、各舌片の有効な領域は、各舌片と櫛体の間の接合ポイントで開始する。
【００２６】
したがって、このようなピンバレルの一又は複数の舌片の局所化されたクランプによって、図２、４、６及び８に示すように、クランプ領域Ｐにおいて新しい振動節が作られる。このようにして、図２に示すように、顎体４と、局所的な対向支持部７等との間の局所化されたクランプによって各振動舌片の有効長又は自由長を減らす手段が用いられる。
【００２７】
これを実現するために、支持顎体４と、少なくとも間接的に支持体３は、局所的クランプ領域Ｐを形成するように構成し、櫛体の一又は複数の穴２Ｂは、各舌片の方向に沿って伸長され、各舌片が局所的クランプ領域Ｐに対して動くことが可能になる。櫛体２Ａから距離を置いた位置で各舌片２Ｃを押すことによって、新しい振動舌片長さが定められ、これは、元の長さよりも短い。この元の長さは、櫛体と、ピンバレルの各舌片の自由端との間の距離であった。
【００２８】
このようにして、支持顎体４と対向支持部７は、櫛体２Ａ及び一又は複数の舌片２Ｃの端部を支持体３上にロックする。局所的クランプ領域と櫛体の間に位置する、この舌片の端部は、このようにして不動にされ、よって、振動しなくなる。したがって、一又は複数の舌片の有効長は、局所的クランプ領域と、前記舌片の自由端との間で延びる。
【００２９】
ピンバレルの一又は複数の舌片の有効長を調整するために、舌片に接続された櫛体は、特に、固定ポイントを形成する、支持体３、支持顎体４、及び対向支持部７に対して動かされる。このようなピンバレルの運動は、櫛体２Ａの一又は複数の穴２Ｂが各舌片の長さ方向の軸に沿って伸長するために可能となる。櫛体がさらに後退するように動くほど、ネジを締め付けることによって顎体が支持体に固定された後に、各舌片の有効長がより短くなる。このようにしてピンバレルの一又は複数の舌片から材料を除去したり、これに材料を付加させずに、周波数ないし周波数範囲を変更することができる。
【００３０】
支持体３と、支持顎体４のような一又は複数の舌片を固定する手段とは、固定位置を有する手段として考えられる。このようにして、櫛体を動かし、よって、一又は複数の舌片を動かすことによって、音発生装置が調整される。
【００３１】
音楽ピンバレルの周波数範囲を調整する手段が設けられた音発生装置のいくつかの実施形態を以下に説明する。
【００３２】
上で部分的に説明した図１及び２の第１の実施形態において、対向支持部７が支持体３によって直接形成される。支持体３は、その前縁上にリブ（rib）７Ａを有し、顎体４の前縁もリブ４Ａを有する。このリブ４Ａは、支持体のリブ７Ａに対向するように位置して、クランプを形成する。このクランプは、ピンバレルの一又は複数の舌片の端部上の第１のクランプポイントを定める。
【００３３】
締め付けを改善するために、支持体３の後縁及び顎体４の後縁もまた、リブ３Ｂ、４Ｂをそれぞれ有し、これらは、お互い対向するように位置する。このようにして、櫛体２Ａ及び一又は複数の舌片２Ｃは、支持体と顎体に対してリブにおいてのみ接触しており、ネジによって顎体４に与えられた力は、舌片及び櫛体に対する局所的クランプ圧力へと変換される。この圧力は、クランプ領域に集中している。
【００３４】
図３及び４に示す第２の実施形態において、対向支持部は、支持体３と独立な部分８にある。これによって、第２の顎体８ないし対向支持顎体が形成される。この実施形態に従うと、二部分形成顎体４、８は、交差するハサミのように交差するように構成する。
【００３５】
各顎体４、８は、２つの板１０Ａ、１０Ｂ、１１Ａ及び１１Ｂを有し、これらは２つの実質的に平行な平面上に位置し、交差形状メンバー１２Ａ、１２Ｂによって接合され、これらの一方は第１のループ１２Ａであり、他方は傾斜した第２のループ１２Ｂである。この傾斜した第２のループ１２Ｂは、第１のループ１２Ａに挿入される。ピンバレルの舌片は、これら第１及び第２のループの間を通る。板は、お互い対向するリブを有し、前方クランプ領域Ｐと後方クランプ領域Ｒを形成する。前方クランプ領域Ｐは、ピンバレルの舌片の端部をクランプするように構成する。これは、当該ピンバレルの周波数範囲を調整するためである。クランプ領域Ｐを第１のクランプポイントとして定めることができ、一方、櫛体上の後方クランプ領域Ｒを第２のクランプポイントとして定めることができる。
【００３６】
クランプ領域Ｒは、リブ４Ｂ、８Ｂの対のうちの１つによって形成され、これらは、各部品の後方と交差部分の間に位置する。クランプ領域Ｐにある他のリブの対４Ａ、８Ａは、交差形状メンバーの後に、これらからできるだけ離れて配置される。締め付けネジ５に最も近く、したがって、交差形状メンバーの後方にあるリブ４Ｂ、８Ｂがピボット線として機能すると想定することができる。
【００３７】
ハサミ１０ａの２つのアームの１つは、支持体３上に支持され、顎体１０Ｂを有する。顎体１０Ｂは、ピンバレル２の舌片の上にあり、これに対して、他方のアームは、櫛体の上にあり、その顎体は舌片の下にある。
【００３８】
上述の図１及び２の第１の実施形態において、舌片の自由長のみが、支持体３から突き出ている。しかし、この図３及び４の第２の実施形態においては、舌片クランプ領域Ｐが前記支持体から突き出ている。好ましくは、支持体３に支持される第２の顎体８は、第１の顎体４よりも剛性を有するように構成される。
【００３９】
得られる「てこの原理」の効果は、締め付けネジ５に対して及びハサミの回転軸の位置に対してのリブ４Ａ、８Ａ、及び４Ｂ、８Ｂの対の位置に依存して、大きいこともあるし、小さいこともある。この解決手段に従うと、回転軸は、顎体４、８が交差する領域を越えた位置にリブ４Ｂ、８Ｂの対によって形成される。
【００４０】
図５及び６に、音発生装置の第３の実施形態を示す。今回は、２つの顎体４、８は、一種のピボットを形成するように、それらの遠端で協力してはたらく。ピボットの後方には、各顎体はリブ４Ａ、８Ａを有し、クランプ領域Ｐを定める。このように、一又は複数の締め付けネジ５を締め付けると、ピンバレルの一又は複数の舌片のリブ４Ａ、８Ａがお互いが近くなるように動く。
【００４１】
ピボット線を形成するには、いくつかの手法の可能性が考えられる。具体的には、前方に向かって２つの側面には、対向支持部を形成する第２の顎体８が、顎体の後方に向かって開いているフック２０を備えている。第１の顎体４の前縁の２つの突起２１は、これらのフック２０に挿入され、ピボットを形成する。２つの顎体４及び８は、ピンバレルの振動舌片の群よりも幅広である。また、このピボットの集合体は、舌片を通すために開口部が開いたままになっている。
【００４２】
図７及び８に、音発生装置の第４の実施形態を示す。この実施形態において、対向支持部を形成する交差片８が、支持顎体４の遠端に固定される。また顎体４は支持体３にも固定される。この部分ないし交差片８は、顎体４に固く固定され、これは、例えば、弾性的なロックやネジによる締め付けによって行う（図示せず）。
【００４３】
交差片８を顎体４に固定する手段は、交差片を顎体４の方へ動かすことができ、これによって、舌片の端部をクランプする。このように、これらの固定手段の原理は、櫛体から距離をおいて舌片をクランプすることによって、櫛体を人工的に伸長させ、舌片の自由長を減らすことにある。これによって、自由な舌片それぞれの共鳴周波数を変更することができる。
【００４４】
本明細書の説明から、当業者は、特許請求の範囲により定められる本発明の範囲から逸脱せずに、音楽ピンバレルの周波数範囲を調節する手段を備える音発生装置のいくつかの編集を考えつくことができるであろう。音楽ピンバレルの周波数範囲を部分的に変更するために、ピンバレルの舌片すべてではなく、ピンバレルの特定の舌片に対する選択的なクランプを行うことができる。ピンバレルの舌片の周波数範囲を収集する２つの別々の手段を、例えば、同じ支持体上に、固定されるように用意することもできる。
【符号の説明】
【００４５】
１  音発生装置
２  ピンバレル
２Ａ  櫛体
２Ｂ  穴
２Ｃ  振動舌片
３  支持体
４  支持顎体
４Ａ、４Ｂ、７Ａ、７Ｂ、８Ａ、８Ｂ  リブ
５  締め付け要素
７  局所的対向支持部
８  交差片
１２Ａ、１２Ｂ  ループ
２０  フック
２１  突起
Ｐ  局所的クランプ領域
Ｒ  後方クランプ領域
【図１】
0005931963.tif 000002
【図２】
0005931963.tif 000003
【図３】
0005931963.tif 000004
【図４】
0005931963.tif 000005
【図５】
0005931963.tif 000006
【図６】
0005931963.tif 000007
【図７】
0005931963.tif 000008
【図８】
0005931963.tif 000009